(57)【要約】【課題】ケーシングの前面に複数のコネクタを設けつつ、設置スペースの省スペース化および機器の小型化を図ることができる電子機器を得ること。【解決手段】電子機器１０は、前面に傾斜面２７が形成された箱体形状を呈するケーシング２０と、傾斜面２７に設けられた複数のコネクタ３０と、を備える。傾斜面２７は、複数の第１傾斜面２１ａが天面２２側から底面２３側に向けて並べて設けられた第１の傾斜面列と、複数の第２傾斜面２１ｂが天面２２側から底面２３側に向けて並べて設けられた第２の傾斜面列とが、正面視において横方向に並べて設けられて構成される。第１の傾斜面列は、複数の第１傾斜面２１ａ同士を連結して天面２２側を向く第１の連結面２８を有し、第２の傾斜面列は、複数の第２傾斜面２１ｂ同士を連結して底面２３側を向く第２の連結面２８を有する。【選択図】図１１
2017063229.tif 000002
【特許請求の範囲】
【請求項１】
前面に傾斜面が形成された箱体形状を呈するケーシングと、
前記傾斜面に設けられた複数のコネクタと、を備え、
前記傾斜面は、前記ケーシングの天面側から底面側に向かうにしたがって背面に近づく複数の第１傾斜面が前記天面側から前記底面側に向けて並べて設けられた第１の傾斜面列と、前記底面側から前記天面側に向かうにしたがって前記背面に近づく複数の第２傾斜面が、前記天面側から前記底面側に向けて並べて設けられた第２の傾斜面列とが、正面視において横方向に並べて設けられ、
前記第１の傾斜面列は、複数の前記第１傾斜面同士を連結する第１の連結面を有し、
前記第２の傾斜面列は、複数の前記第２傾斜面同士を連結する第２の連結面を有し、
前記第１の連結面は、前記天面側を向けて形成され、
前記第２の連結面は、前記底面側を向けて形成されることを特徴とする電子機器。
【請求項２】
前記第１の傾斜面列と、前記第２の傾斜面列とで、正面視において前記第１の連結面と前記第２の連結面の位置が上下にずれていることを特徴とする請求項１に記載の電子機器。
【請求項３】
請求項１または請求項２に記載の電子機器と、
前記電子機器と接続される電源ユニットと、を備えることを特徴とする電子機器システム。
【発明の詳細な説明】
【技術分野】
【０００１】
本発明は、前面に複数のコネクタが設けられた電子機器および電子機器システムに関する。
【背景技術】
【０００２】
プログラマブルロジックコントローラに代表される電子機器には、設置スペースの省スペース化および機器の小型化への要望がある。設置スペースの省スペース化および機器の小型化が望まれる電子機器には、特許文献１に開示されたように、箱型形状を呈するケーシングの前面に複数のコネクタが設けられた電子機器が含まれる。
【先行技術文献】
【特許文献】
【０００３】
【特許文献１】特開２００１−２７３０１１号公報
【発明の概要】
【発明が解決しようとする課題】
【０００４】
ケーシングの前面に複数のコネクタが設けられた電子機器では、機器の小型化によって前面の面積が縮小されることで、前面に設けられるコネクタの数も減ってしまう場合がある。１つの電子機器に設けられたコネクタの数が減った場合には、電子機器の設置個数を増やすことでコネクタ数の確保を図る必要が生じてしまう。そのため、単純に電子機器を小型化しても設置スペースの省スペースを図ることが難しいという問題があった。特に、規格によって必要なコネクタの数が決められている場合には、コネクタ数の確保のために電子機器の設置個数を増やさなければならないという問題が生じやすい。
【０００５】
本発明は、上記に鑑みてなされたものであって、ケーシングの前面に複数のコネクタを設けつつ、設置スペースの省スペース化および機器の小型化を図ることができる電子機器を得ることを目的とする。
【課題を解決するための手段】
【０００６】
上述した課題を解決し、目的を達成するために、本発明は、前面に傾斜面が形成された箱体形状を呈するケーシングと、傾斜面に設けられた複数のコネクタと、を備える。傾斜面は、ケーシングの天面側から底面側に向かうにしたがって背面に近づく複数の第１傾斜面が天面側から底面側に向けて並べて設けられた第１の傾斜面列と、底面側から天面側に向かうにしたがって背面に近づく複数の第２傾斜面が、天面側から底面側に向けて並べて設けられた第２の傾斜面列とが、正面視において横方向に並べて設けられて構成される。第１の傾斜面列は、複数の第１傾斜面同士を連結する第１の連結面を有し、第２の傾斜面列は、複数の第２傾斜面同士を連結する第２の連結面を有する。第１の連結面は、天面側を向けて形成され、第２の連結面は、底面側を向けて形成される。
【発明の効果】
【０００７】
本発明にかかる電子機器によれば、ケーシングの前面に複数のコネクタを設けつつ、設置スペースの省スペース化および機器の小型化を図ることができるという効果を奏する。
【図面の簡単な説明】
【０００８】
【図１】本発明の実施の形態１にかかる電子機器の斜視図
【図２】実施の形態１にかかる電子機器の正面図
【図３】実施の形態１にかかる電子機器の側面図
【図４】実施の形態１にかかる電子機器を連結させて電子機器システムを構成した状態を示す斜視図
【図５】実施の形態１の変形例１にかかる電子機器の側面図
【図６】実施の形態１の変形例１にかかる電子機器の正面図
【図７】実施の形態１の変形例２にかかる電子機器の側面図
【図８】実施の形態１の変形例２にかかる電子機器の正面図
【図９】実施の形態１の変形例３にかかる電子機器の側面図
【図１０】実施の形態１の変形例３にかかる電子機器の正面図
【図１１】実施の形態１の変形例４にかかる電子機器の側面図
【図１２】実施の形態１の変形例４にかかる電子機器の正面図
【発明を実施するための形態】
【０００９】
以下に、本発明の実施の形態にかかる電子機器を図面に基づいて詳細に説明する。なお、この実施の形態によりこの発明が限定されるものではない。
【００１０】
実施の形態１．
図１は、本発明の実施の形態１にかかる電子機器の斜視図である。図２は、実施の形態１にかかる電子機器の正面図である。図３は、実施の形態１にかかる電子機器の側面図である。
【００１１】
プログラマブルロジックコントローラである電子機器１０は、複数のコネクタ３０が設けられたケーシング２０を備える。ケーシング２０は、前面２１、天面２２、底面２３、背面２４、右側面２５、左側面２６を有して箱体形状を呈する。
【００１２】
ケーシング２０の前面２１は、側面視において鉛直線に対して傾きを持った傾斜面２７となっている。本実施の形態１にかかる電子機器１０では、天面２２側から底面２３側に向かうにしたがって背面２４に近づく第１傾斜面２１ａによって傾斜面２７が形成されている。
【００１３】
コネクタ３０は、前面２１に形成された傾斜面２７と天面２２とに設けられている。コネクタ３０には、他の機器から延びる図示しないケーブルが接続可能とされる。
【００１４】
ケーシング２０の側面である右側面２５および左側面２６には、隣接設置される電子機器１０と連結するための連結コネクタ３１，３２が形成されている。ケーシング２０の右側面２５に形成された連結コネクタ３１は内側に凹んでいる。ケーシング２０の左側面２６に形成された連結コネクタ３２は外側に突出している。突出した連結コネクタ３２が凹んだ連結コネクタ３１に嵌まることで、隣接設置された電子機器１０同士が連結される。
【００１５】
図４は、実施の形態１にかかる電子機器１０を連結させて電子機器システム４０を構成した状態を示す斜視図である。ケーシング２０の左側面２６に形成された連結コネクタ３２は外側に突出している。突出した連結コネクタ３２が凹んだ連結コネクタ３１に嵌まることで、図４に示すように隣接設置された電子機器１０同士が連結され、連結コネクタ３１，３２を通して情報の送受信が可能となる。また、電子機器１０に加えて、電源ユニット１１およびＣＰＵユニット１２を接続することで、電子機器システム４０を構成することも可能である。電源ユニット１１は、ＣＰＵユニット１２および電子機器１０に電源を供給する。ＣＰＵユニット１２は、電子機器１０にケーブルを介して接続された被制御機器を制御する。
【００１６】
以上説明した電子機器１０によれば、複数のコネクタ３０を前面２１に形成された傾斜面２７に設けている。ここで、鉛直面で形成した場合の前面の面積に比べて、傾斜面２７が形成された前面２１の面積のほうが大きくなる。そのため、鉛直面で前面を形成するよりも、傾斜面２７が形成された前面２１のほうが、コネクタ３０を設けることが可能な領域の面積を大きくすることができる。したがって、同じ大きさの電子機器同士で比べた場合、鉛直面で前面を形成した電子機器に比べて、傾斜面２７を有して前面２１が形成された電子機器１０のほうが、より多くのコネクタ３０を設けることが可能となる。これにより、電子機器１０を小型化させた場合のコネクタ３０の数の確保がしやすくなる。また、コネクタ３０の必要個数に対して必要となる電子機器１０の個数が減るため、電子機器１０の設置個数を抑えて設置スペースの省スペース化を図ることができる。
【００１７】
また、電子機器１０では、前面２１と異なる面である天面２２および底面２３にもコネクタ３０を設けることで、より多くのコネクタ３０を設けることが可能となる。これにより、コネクタ３０の必要個数に対して必要となる電子機器１０の個数が減るため、電子機器１０の設置個数を抑えて設置スペースのより一層の省スペース化を図ることができる。なお、コネクタ３０は、前面２１に加えて、天面２２または底面２３のいずれか一方に設けられていてもよい。
【００１８】
また、防水機能を有する電子機器では、防水機能を有するコネクタが用いられる。防水機能を有するコネクタは、防水機能を有していないコネクタよりも大型化する傾向にある。そのため、同じコネクタの数であっても、防水機能を有していない電子機器よりも防水機能を有する電子機器のほうが、コネクタを設けるための大きな領域が必要になる。そのため、防水機能を有していない電子機器よりも防水機能を有する電子機器のほうが大型化する傾向にある。
【００１９】
本実施の形態１にかかる電子機器１０では、電子機器１０自体の大型化を抑えつつ、コネクタ３０を設けることが可能な領域の面積を大きくすることができるので、防水機能を電子機器１０に持たせた場合であっても、装置の大型化を抑えることが可能となる。
【００２０】
また、防水機能を確保するために、ケーシング２０に形成された隙間に樹脂を充填する場合、およびケーシング２０を金属で形成する場合には、電子機器１０の重量が増大しやすい。本実施の形態１にかかる電子機器１０では、装置の大型化を抑えることで、ケーシング２０の大型化も抑えられる。したがって、隙間の充填に用いられる樹脂の量およびケーシング２０の形成に用いられる金属の量を抑えて、防水機能を有する電子機器１０の軽量化を図ることができる。
【００２１】
なお、防水機能を有する電子機器の防水性能については、例えばＩＥＣ  ６０５２９、ＪＩＳ  Ｃ  ０９２０において、保護等級として規定されている。例えば、これらの規格で規定されたＩＰ６７等級の防水性能を持たせれば、防水機能を有する電子機器として用いることができる。また、防水機能を有することで、防塵機能も有することとなる。また、防水機能を有するコネクタで一般的に市場に普及しているのは、丸型タイプである。
【００２２】
また、ケーシング２０の右側面２５と左側面２６に形成された連結コネクタ３１，３２が嵌り合うことで、隣接する電子機器１０同士を連結させることができるので、ケーブルを用いて電子機器同士を連結する場合に比べて、作業性の向上および設置スペースの省スペース化を図ることができる。
【００２３】
図５は、実施の形態１の変形例１にかかる電子機器の側面図である。図６は、実施の形態１の変形例１にかかる電子機器の正面図である。変形例１にかかる電子機器１０では、底面２３側から天面２２側に向かうにしたがって背面２４に近づく第２傾斜面２１ｂによって傾斜面２７が形成されている。また、変形例１にかかる電子機器１０では、コネクタ３０を横方向に２列並べて設けている。
【００２４】
変形例１にかかる電子機器１０では、複数のコネクタ３０を前面２１に形成された傾斜面２７に設けている。そのため、鉛直面で前面を形成するよりも、傾斜面２７が形成された前面２１のほうが、コネクタ３０を設けることが可能な領域の面積を大きくすることができる。したがって、同じ大きさの電子機器同士で比べた場合、鉛直面で前面を形成した電子機器に比べて、傾斜面２７を有して前面２１が形成された電子機器１０のほうが、より多くのコネクタ３０を設けることが可能となる。これにより、電子機器１０を小型化させた場合のコネクタ３０の数の確保がしやすくなる。また、コネクタ３０の必要個数に対して必要となる電子機器１０の個数が減るため、電子機器１０の設置個数を抑えて設置スペースの省スペース化を図ることができる。
【００２５】
また、図３に示した例のように、前面２１と異なる面である天面２２および底面２３にもコネクタ３０を設けてもよい。これにより、コネクタ３０の必要個数に対して必要となる電子機器１０の個数が減るため、電子機器１０の設置個数を抑えて設置スペースのより一層の省スペース化を図ることができる。コネクタ３０は、前面２１に加えて、天面２２または底面２３のいずれか一方に設けられていてもよい。
【００２６】
また、ケーシング２０の右側面２５と左側面２６に形成された連結コネクタ３１，３２が嵌り合うことで、隣接する電子機器１０同士を連結させることができるので、ケーブルを用いて電子機器同士を連結する場合に比べて、作業性の向上および設置スペースの省スペース化を図ることができる。
【００２７】
図７は、実施の形態１の変形例２にかかる電子機器の側面図である。図８は、実施の形態１の変形例２にかかる電子機器の正面図である。変形例２にかかる電子機器１０では、天面２２側から底面２３側に向かうにしたがって背面２４に近づく第１傾斜面２１ａと、底面２３側から天面２２側に向かうにしたがって背面２４に近づく第２傾斜面２１ｂとを有して傾斜面２７が形成されている。傾斜面２７は、側面視において前面２１側に向けた凸形状を呈する。また、変形例２にかかる電子機器１０では、コネクタ３０を横方向に２列並べて設けている。
【００２８】
変形例２にかかる電子機器１０では、複数のコネクタ３０を前面２１に形成された傾斜面２７に設けている。そのため、鉛直面で前面を形成するよりも、傾斜面２７が形成された前面２１のほうが、コネクタ３０を設けることが可能な領域の面積を大きくすることができる。したがって、同じ大きさの電子機器同士で比べた場合、鉛直面で前面を形成した電子機器に比べて、傾斜面２７を有して前面２１が形成された電子機器１０のほうが、より多くのコネクタ３０を設けることが可能となる。これにより、電子機器１０を小型化させた場合のコネクタ３０の数の確保がしやすくなる。また、コネクタ３０の必要個数に対して必要となる電子機器１０の個数が減るため、電子機器１０の設置個数を抑えて設置スペースの省スペース化を図ることができる。
【００２９】
また、傾斜方向の異なる第１傾斜面２１ａと第２傾斜面２１ｂとを組み合わせて傾斜面２７を形成することで、第１傾斜面２１ａまたは第２傾斜面２１ｂのいずれか一方のみで傾斜面２７を形成するよりも、傾斜面２７全体が奥行き方向に延びる長さを抑えることが可能となる。これにより、電子機器１０の奥行き方向における小型化を図ることが可能となる。
【００３０】
また、図３に示した例のように、前面２１と異なる面である天面２２および底面２３にもコネクタ３０を設けてもよい。これにより、コネクタ３０の必要個数に対して必要となる電子機器１０の個数が減るため、電子機器１０の設置個数を抑えて設置スペースのより一層の省スペース化を図ることができる。コネクタ３０は、前面２１に加えて、天面２２または底面２３のいずれか一方に設けられていてもよい。
【００３１】
また、ケーシング２０の右側面２５と左側面２６に形成された連結コネクタ３１，３２が嵌り合うことで、隣接する電子機器１０同士を連結させることができるので、ケーブルを用いて電子機器同士を連結する場合に比べて、作業性の向上および設置スペースの省スペース化を図ることができる。
【００３２】
図９は、実施の形態１の変形例３にかかる電子機器の側面図である。図１０は、実施の形態１の変形例３にかかる電子機器の正面図である。変形例３にかかる電子機器１０では、天面２２側から底面２３側に向かうにしたがって背面２４に近づく第１傾斜面２１ａと、底面２３側から天面２２側に向かうにしたがって背面２４に近づく第２傾斜面２１ｂとを有して傾斜面２７が形成されている。傾斜面２７は、側面視において背面２４側に向けた凹形状を呈する。また、変形例３にかかる電子機器１０では、コネクタ３０を横方向に２列並べて設けている。
【００３３】
変形例３にかかる電子機器１０では、複数のコネクタ３０を前面２１に形成された傾斜面２７に設けている。そのため、鉛直面で前面を形成するよりも、傾斜面２７が形成された前面２１のほうが、コネクタ３０を設けることが可能な領域の面積を大きくすることができる。したがって、同じ大きさの電子機器同士で比べた場合、鉛直面で前面を形成した電子機器に比べて、傾斜面２７を有して前面２１が形成された電子機器１０のほうが、より多くのコネクタ３０を設けることが可能となる。これにより、電子機器１０を小型化させた場合のコネクタ３０の数の確保がしやすくなる。また、コネクタ３０の必要個数に対して必要となる電子機器１０の個数が減るため、電子機器１０の設置個数を抑えて設置スペースの省スペース化を図ることができる。
【００３４】
また、傾斜方向の異なる第１傾斜面２１ａと第２傾斜面２１ｂとを組み合わせて傾斜面２７を形成することで、第１傾斜面２１ａまたは第２傾斜面２１ｂのいずれか一方のみで傾斜面２７を形成するよりも、傾斜面２７全体が奥行き方向に延びる長さを抑えることが可能となる。これにより、電子機器１０の奥行き方向における小型化を図ることが可能となる。
【００３５】
また、図３に示した例のように、前面２１と異なる面である天面２２および底面２３にもコネクタ３０を設けてもよい。これにより、コネクタ３０の必要個数に対して必要となる電子機器１０の個数が減るため、電子機器１０の設置個数を抑えて設置スペースのより一層の省スペース化を図ることができる。コネクタ３０は、前面２１に加えて、天面２２または底面２３のいずれか一方に設けられていてもよい。
【００３６】
また、ケーシング２０の右側面２５と左側面２６に形成された連結コネクタ３１，３２が嵌り合うことで、隣接する電子機器１０同士を連結させることができるので、ケーブルを用いて電子機器同士を連結する場合に比べて、作業性の向上および設置スペースの省スペース化を図ることができる。
【００３７】
図１１は、実施の形態１の変形例４にかかる電子機器の側面図である。図１２は、実施の形態１の変形例４にかかる電子機器の正面図である。変形例４にかかる電子機器１０では、天面２２側から底面２３側に向かうにしたがって背面２４に近づく複数の第１傾斜面２１ａと、底面２３側から天面２２側に向かうにしたがって背面２４に近づく複数の第２傾斜面２１ｂとを有して傾斜面２７が形成されている。具体的には、天面２２側から底面２３側に向けて並べて設けられた複数の第１傾斜面２１ａ同士が連結面２８で連結された右側傾斜面列２７ａと、天面２２側から底面２３側に向けて並べて設けられた複数の第２傾斜面２１ｂ同士が連結面２８で連結された左側傾斜面列２７ｂとが形成されている。右側傾斜面列２７ａと左側傾斜面列２７ｂは、正面視において横方向に並べて設けられている。
【００３８】
右側傾斜面列２７ａに形成されて複数の第１傾斜面２１ａ同士を連結する連結面２８は、天面２２側を向けて形成されている。左側傾斜面列２７ｂに形成されて複数の第２傾斜面２１ｂ同士を連結する連結面２８は、底面２３側を向けて形成されている。右側傾斜面列２７ａと左側傾斜面列２７ｂとでは、正面視において連結面２８の位置が上下にずれている。
【００３９】
変形例４にかかる電子機器１０では、複数のコネクタ３０を前面２１に形成された傾斜面２７に設けている。そのため、鉛直面で前面を形成するよりも、傾斜面２７が形成された前面２１のほうが、コネクタ３０を設けることが可能な領域の面積を大きくすることができる。したがって、同じ大きさの電子機器同士で比べた場合、鉛直面で前面を形成した電子機器に比べて、傾斜面２７を有して前面２１が形成された電子機器１０のほうが、より多くのコネクタ３０を設けることが可能となる。これにより、電子機器１０を小型化させた場合のコネクタ３０の数の確保がしやすくなる。また、コネクタ３０の必要個数に対して必要となる電子機器１０の個数が減るため、電子機器１０の設置個数を抑えて設置スペースの省スペース化を図ることができる。
【００４０】
また、複数の傾斜面２１ａ，２１ｂを連結させた傾斜面列２７ａ，２７ｂを形成することで、１つの第１傾斜面２１ａまたは１つの第２傾斜面２１ｂで傾斜面列を形成するよりも、傾斜面２７全体が奥行き方向に延びる長さを抑えることが可能となる。これにより、電子機器１０の奥行き方向における小型化を図ることが可能となる。
【００４１】
また、右側傾斜面列２７ａが第１傾斜面２１ａを有し、左側傾斜面列２７ｂが第２傾斜面２１ｂを有するように構成しているので、右側傾斜面列２７ａと左側傾斜面列２７ｂとでコネクタ３０からのケーブルの引き出し方向を異ならせることが可能となる。これにより、同一方向に引き出されるケーブルの数が少なくなることで、ケーブルの判別がしやすくなり、設置作業の効率化を図ることが可能となる。
【００４２】
また、右側傾斜面列２７ａと左側傾斜面列２７ｂとで連結面２８の位置を上下にずらしているので、右側傾斜面列２７ａと左側傾斜面列２７ｂとでコネクタ３０の位置も上下にずらすことが可能となる。左右で同じ高さにコネクタ３０が設けられる場合に比べて、コネクタ３０同士の距離を離すことが可能となる。これにより、ケーブルの接続作業の容易化を図ることができる。
【００４３】
また、図３に示した例のように、前面２１と異なる面である天面２２および底面２３にもコネクタ３０を設けてもよい。これにより、コネクタ３０の必要個数に対して必要となる電子機器１０の個数が減るため、電子機器１０の設置個数を抑えて設置スペースのより一層の省スペース化を図ることができる。コネクタ３０は、前面２１に加えて、天面２２または底面２３のいずれか一方に設けられていてもよい。
【００４４】
また、ケーシング２０の右側面２５と左側面２６に形成された連結コネクタ３１，３２が嵌り合うことで、隣接する電子機器１０同士を連結させることができるので、ケーブルを用いて電子機器同士を連結する場合に比べて、作業性の向上および設置スペースの省スペース化を図ることができる。
【００４５】
なお、本変形例４では、右側傾斜面列２７ａと左側傾斜面列２７ｂの２つの傾斜面列を前面２１に形成しているが、これに限られず、１つの傾斜面列のみを前面２１に形成してもよいし、３つ以上の傾斜面列を前面２１に形成してもよい。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１０  電子機器、１１  電源ユニット、１２  ＣＰＵユニット、２０  ケーシング、２１  前面、２１ａ  第１傾斜面、２１ｂ  第２傾斜面、２２  天面、２３  底面、２４  背面、２５  右側面、２６  左側面、２７  傾斜面、２７ａ  右側傾斜面列、２７ｂ  左側傾斜面列、２８  連結面、３０  コネクタ、３１，３２  連結コネクタ、４０  電子機器システム。  
【図１】
2017063229.tif 000003
【図２】
2017063229.tif 000004
【図３】
2017063229.tif 000005
【図４】
2017063229.tif 000006
【図５】
2017063229.tif 000007
【図６】
2017063229.tif 000008
【図７】
2017063229.tif 000009
【図８】
2017063229.tif 000010
【図９】
2017063229.tif 000011
【図１０】
2017063229.tif 000012
【図１１】
2017063229.tif 000013
【図１２】
2017063229.tif 000014